(57)【要約】      （修正有）【課題】使用中にトラブルが発生した場合、巻き芯を取り出して、トラブルを改善した後に再度収納できる巻き芯の交換が可能なラップフィルム包装用容器を提供する。【解決手段】直方体の箱で構成され、内部にラップフィルムを収納する収納部６とラップフィルムを切断する切断刃を有する蓋を備えたラップフィルム包装容器において、蓋は、切断刃を有する前面１０と上面１１と側面８、９から成り、収納部の底面５の一端は側壁に接合され、他端は側壁に接合されず、ラップフィルムの巻き芯を押し下げることで下方に開く収納部の底面の構造とし、収納部の側壁１、２の内側に、弾力性を有する押え部を設け、押え部は、ラップフィルムの巻き芯を取り出し可能にするとともに、巻き芯の中に入ることでラップフィルムの浮き上りを防止する。【選択図】図１
0003226448.tif 000002
【実用新案登録請求の範囲】
【請求項１】
直方体の箱で構成され、内部にラップフィルムを収納する収納部とラップフィルムを切断する切断刃を有する蓋を備えたラップフィルム包装容器において、
前記蓋は、前記切断刃を有する前面と上面から成り、
前記収納部の底面の一端が側壁に接合され、該収納部の底面の他端が側壁に接合されず、
ラップフィルムの巻き芯を押し下げることで下方に開く前記収納部の底面の構造とし、
前記収納部の側壁内側に、弾力性を有する押え部を設け、該押え部は、ラップフィルムの巻き芯の中に入ることでラップフィルムの浮き上りを防止する構造とした、ラップフィルム包装容器。
【考案の詳細な説明】
【技術分野】
【０００１】  本考案は、ラツプフイルム包装用容器に関するもの
【背景技術】
【０００２】  通常使用しているラツプフイルム包装用容器は１回きりの使い捨てになつているので不経済である。又当該包装用容器を使用するとラツプフイルムの切れ端が接着したり、諸々のトラブルがおきた時、安易に取り出して対応することができない等不便であつた。
【先行技術文献】
【０００３】
【特許文献１】出願番号  特願２０１４−２６７３４６
【考案の概要】
【考案が解決しようとする課題】
【０００４】  本考案のラツプフイルム包装用容器はラツプフイルムを使い終つた時に新しいラツプフイルムと交換できるし、上記トラブルが発生した場合ラツプフイルムの巻き芯を取り出して、トラブルを改善した後にラツプフイルム包装用容器に再度収納することができる。ようにする
【課題を解決するための手段】
【０００５】  （１）ラツプフイルム包装用容器の収納部の底面が、ラツプフイルムの巻き芯を押し下げることで下方に開くようにする、（２）前記収納部の側面内側に、弾力性を有する押さえ部を設ける、該押さえ部はラツプフイルムの巻き芯の中に入るようにする、（３）ラツプフイルム包装用容器の蓋の前面内側に押圧部を設ける、当該押圧部は、引き出して切断した後のラツプフイルムの切れ端部分を固定できるようにする、（４）ラツプフイルム包装用容器の本体から蓋を分離して、長期間使用して切断刃が切れなくなると、蓋だけを取り換えるようにする、（５）山形状の切断刃の刃先が、刃先収納部の穴に入り、手もとの方からでも又はもういつぽうの外側の方からでも安易に切断が完了できるようにする、（６）前記蓋の上面に指を入れられる補助具を設ける、当該補助具に片いつぽうの手の指を入れてラツプフイルム包装用容器の本体を持ち上げて蓋を開く、他のいつぽうの手の指で収納部に収納しているラツプフイルムの取り出しと、収納ができるようにする
【考案の効果】
【０００６】（１）ラツプフイルムの収納部の底面が下方に開く構造としたことで、ラツプフイルムの巻き芯を取り換えられることができる、（２）弾力性を有する押さえ部を収納部の側面の内側に設け、ラツプフイルムの巻き芯の中に入る構造としたことで、ラツプフイルムの浮き上りを防止できる、（３）ラツプフイルム包装用容器の蓋の前面内側に押圧部を設け、該押圧部はラツプフイルム収納部の前面の外側を押圧して、引き出したラツプフイルムを固定する構造としたことで、ラツプフイルムを固定することができる、（４）蓋がラツプフイルム包装用容器の本体から分離する構造としたことで長時間使用して切断刃が切れなくなると蓋だけを取り換えられることができる、（５）山形状の刃先が、ラツプフイルム収納部の前面外側の下部に設けた刃先収納部の穴に入る構造としたことで、切断刃の刃先が、引き出したラツプフイルムを通して穴に入り蓋を閉じるだけで切断が始まり、手もとの方からでも又はもういつぽうの外側の方からでも切断が完了する、（６）ラツプフイルム包装用容器の蓋の上面に指を入れられる補助具を設けたことによつて、片いつぽうの手の指を補助具に入れてラツプフイルム包装用容器の本体を持ち上げて蓋を開くことができる、他方の手で巻き芯を下方に押して収納部の底面を下方に開き、巻き芯を下方に取り出すことができる
【図面の簡単な説明】
【０００７】
【図１】  ラツプフイルム包装用容器の本体を示し個々の符号を示す、立体図
【図２】  ラツプフイルム包装用容器を横に倒し底面が開いた状態を示す、立体図
【図３】  ラツプフイルムの巻き芯を下方に押さえ収納部に入れる状態を示す立体図
【図４】  ラツプフイルムの巻き芯を下方に押さえ収納部に収納完了を示す、立体図
【図５】  ラツプフイルムの巻き芯を下方に押さえ収納部から取り出しの状態を示す、立体図
【図６】  ラツプフイルムの巻き芯を下方に押さえ収納部から取り出し完了の状態を示す、立体図
【図７】  収納部に収納時、片方の弾力性を有する押さえ部が先に巻き芯の中に入ることを示す、側面図
【図８】  収納部に収納完了時の弾力性を有する押さえ部は双方とも巻き芯の中に入ることを示す、側面図
【図９】  収納部から取り出し時、片方の巻き芯の端を下方に押すと下方に取り出せることを示す、側面図
【図１０】  側面の上端を挟さみ接着し冠着した弾力性を有する押さえ部の支持体を示す、立体図
【図１１】  包装用容器の前面内側に設けた押圧部２５を示す、立体図
【図１２】  ラツプフイルム収納部６からラツプフイルムの巻き芯２９を左回転させて引き出したラツプフイルム３０の切断までの径路を示す、側面図
【図１３】  ラツプフイルム包装用容器の本体から分離した蓋の前面の内側を示す、立体図
【図１４】  ラツプフイルム包装用容器の本体から分離した蓋の前面の外側を示す、立体図
【図１５】  下側の蓋と上側の蓋が隙間を設け当該隙間を挟み１体となつた基礎の部分を示す、側面図
【図１６】  支持体つき切断刃１３の刃先が刃先収納部の穴２２に入つたことを示す、側面図
【図１７】  支持体つき切断刃１３の刃先が刃先収納部の穴２２に入つたことを拡大して示す、側面図
【図１８】  穴２２を個別にするための間仕切り２７を示す、立体図
【図１９】  分離した蓋の隙間に入れる部分を隙間に入れたことを、点線で囲んで示している、立体図
【図２０】  包装用容器の蓋の上面に手の指を入れる補助具を設けたことを示す、立体図
【図２１】  前記蓋の上面に設けた補助具に手の指を入れていることを示す、立体図
【図２２】  前記補助具に手の指を入れて蓋を開き、他の片方の手の指で収納部にラツプフイルムを収納している状態を示す、立体図
【考案を実施するための形態】
【０００８】
【本考案の実施の形態を説明する】
【０００９】  図１は、包装用容器の本体６３を示している、当該包装用容器の本体６３は、収納部６と蓋とすべての部品を含んでいることを示している、包装用容器収納部の右側面内側１、包装用容器収納部の左側面内側２、包装用容器収納部の前面３、包装用容器収納部の後面４、包装用容器収納部の底面５、ラツプフイルム収納部６、包装用容器収納部後面上端７蓋の左側面８、蓋の右側面９、蓋の前面１０、蓋の上面１１、包装用容器収納部後面上端７に接合した蓋の位置３１、蓋の前面が少々張り出している部分５３、を示す
【００１０】  図２は、包装用容器収納部の右側面１、開閉自由に開閉させるために接触している部分４３、上側になる底面４７、下側になる底面４２、包装用容器収納部の底面５、上側の底面、下側の底面を接着固定した位置５１、包装用容器収納部左側面内側２、支持体つき切断刃の刃先部分が押入する穴を有する補助具２１、包装用容器収納部後面下端に包装用容器の底面を接合した位置４１、収納部前面外側を押圧されたラツプフイルムが固定する部分１６、ラツプフイルムの切れ端を摘まみ引き出す引き出し口になる部分１７、ラツプフイルム収納部６、を示す
【００１１】  図３は、ラツプフイルムの巻き芯２９を下方に押さえ収納部６に入れる状態を示している、右手の親指３４、右手の手の掌３６、右手の小指３７、包装用容器収納部の左側面内側２、ラツプフイルム１５、を示す
【００１２】  図４は、ラツプフイルムの巻き芯２９を下方に押さえ収納部６に収納完了を示している右手の手の掌３６、包装用容器収納部の左側面内側２、ラツプフイルム１５、右手の親指３４、を示す
【００１３】  図５は、ラツプフイルムの巻き芯２９を下方に押さえ収納部６から取り出しの状態を示している、右手の親指３４、右手の手の掌３６、右手の小指３７、包装用容器収納部の底面５、包装用容器収納部の左側面内側２、を示す
【００１４】  図６は、ラツプフイルムの巻き芯２９を下方に押さえ収納部６からの取り出し完了を示している、右手の親指３４、右手の手の掌３６、右手の小指３７、包装用容器収納部の底面５、包装用容器収納部の左側面内側２、を示す
【００１５】  図７は、収納部６に収納時、片方の弾力性を有する押さえ部３９が先に巻き芯２９の中に入ることを示す、側面の上端部分を挟み接着し冠着した弾力性を有する押さえ部の支持体４４、弾力性を有する押さえ部と連係している支持体４０、包装用容器収納部の右側面内側１、包装用容器収納部の左側面内側２、ラツプフイルム１５、を示す、
【００１６】  図８は、収納部６に収納完了時の弾力性を有する押さえ部３９は双方とも巻き芯２９の中に入つていることを示す、側面の上端部分を挟さみ接着し冠着した弾力性を有する押さえ部の支持体４４、弾力性を有する押さえ部と連係している支持体４０、包装用容器収納部の右側面内側１、包装用容器収納部の左側面の内側２、ラツプフイルム１５、を示す
【００１７】  図９は、収納部６からラツプフイルムの巻き芯を取り出し時、巻き芯の片方の端の上から下方に押すと、収納部の底面が下方に開き、取り出せるようになつている、包装用容器右側面内側１、包装用容器左側面内側２、ラツプフイルム１５、を示す、
【００１８】  図１０は、前記側面上端部分を挟さみ接着し冠着した弾力性を有する押さえ部の支持体４４、を示す、弾力性を有する押さえ部と連係している支持体４０、包装用容器収納部左側面内側２、弾力性を有する押さえ部３９、を示す
【００１９】  図１１は、包装用容器前面の内側に設けた押圧部２５は、凸部状になつている、蓋を閉じるだけで押圧が完了する、ラツプフイルムを引き出して切断した後の切れ端部分の逆上を防止できる、収納部より引き出されたラツプフイルムが押圧されて収納部の前面外側に固定する部分１６を設けている、なを、山形状の切断刃を複数以上連設した支持体つき切断刃１３、引き出し口になる部分の上部、左側、右側、の両端を内側に丸めて、丸めた中にできる隙間を利用してできた凸部１８、蓋の前面内側２６、隙間２０、を示す、なを、引き出し口になる部分の上部、左側、右側、両端を内側に丸めて、丸めた中にできる隙間を利用してできた凸部１８、引き出し口の側面が平らになつている側面の下部分１９、を示す
【００２０】  図１２は、ラツプフイルムの巻き芯２９が左回転で引き出したラツプフイルム３０の、切断するまでの径路を示している、引き出されたラツプフイルムが固定する部分１６に、固定させる押圧部２５を示している、支持体つき切断刃の刃先２３が刃先収納部の穴２２に入つたことを示す、支持体つき切断刃の刃先が入る収納部の穴を有する補助具２１、蓋の前面内側２６、ラツプフイルムの引き出し口の形態を保護する空間５２を示す、なを、包装用容器本体を持ち上げる時親指を添える部分４８、底面の開きすぎを停止させる少しの突出部分４９、包装用容器収納部の前面の内側４５、引き出し口になる部分の上部、左側、右側、の両端を内側に丸めて、丸めた中にできる隙間を利用してできた凸部１８、を示している
【００２１】  図１３は、ラツプフイルム包装用容器の本体から蓋を分離して、長期間使用して切断刃が切れなくなると蓋に含まれている部品と共に、蓋だけを取り挟えることを示している、ラツプフイルム包装用容器本体から分離した蓋６４、押圧部２５、山形状の切断刃を複数以上連設した支持体つき切断刃１３、刃先部分で障害がおこらぬように設けた突出部分１２、押入部分が押入する時と取り出す時の補助をする補助具５７、支持体つき切断刃の押入する部分５８、当該押入する部分５８は、隙間５５と隙間５６の１体となつている間の隙間に押入するようになつている、分離した蓋の前面の内側６２、から見た状態を示す
【００２２】  図１４、前記、蓋の外側から見た状態を示している、支持体つき切断刃の押入する部分５８、押入部分が押入する時と取り出す時の補助をする補助具５７、ラツプフイルム包装用容器の本体から分離した蓋６４、蓋の前面が少々張り出している部分５３、刃先部分で障害がおこらぬように設けた突出部分１２、を示す
【００２３】  図１５は、前記、分離した蓋の押入部分になる部分、支持体つき切断刃の押入する部分５８が支持体つき切断刃の押入する部分が押入する隙間５４に押入したことを示しているなを、内側の蓋と外側の蓋が隙間を挟み１体となつた基礎になつた接着固定した部分５９を示している、内側の蓋５５、外側の蓋５６、包装用容器収納部後面上端７、包装用容器収納部後面上端７に接合した蓋の位置３１、ラツプフイルムの巻き芯２９、支持体つき切断刃の刃先が収納部の穴に入る穴を有する補助具２１、刃先部分で障害がおこらぬように設けた突出部分１２、山形状の切断刃を複数以上連設した支持体つき切断刃１３、を示す
【００２４】  図１６は、山形状の切断刃を複数以上連設した支持体つき切断刃の刃先２３が、支持体つき切断刃の刃先が刃先収納部に入る穴２２に、入つたことを示している、なを、支持体つき切断刃の支持体の部分１４、山形状の切断刃を複数以上連設した支持体つき切断刃１３、強度を補強する厚み０．７５ｍｍ以下の極うすいシート５０、押圧部２５は蓋を閉じるだけで押圧できる厚みのある凸部状になつている、引き出したラツプフイルムを挟み蓋を閉じるだけで切断された箇所ができたラツプフイルム２４、蓋の前面内側２６、ラツプフイルムの巻き芯を左回転で引き出したラツプフイルム３０、支持体つき切断刃の刃先が入る収納部の穴を有する補助具２１、を示す
【００２５】  図１７は、前記、支持体つき切断刃の刃先２３と切断刃の刃先が刃先収納部に入る穴２２に入つたことを拡大して示している、なを、支持体つき切断刃の支持体の部分１４、山形状の切断刃を複数以上連設した支持体つき切断刃１３、支持体つき切断刃の刃先が入る収納部の穴を有する補助具２１、を示す
【００２６】  図１８は、支持体つき切断刃の刃先が入る収納部の穴を有する補助具２１の穴を個別にするため間仕切り２７を示している、なを、支持体つき切断刃の刃先が刃先収納部の穴に入る穴２２、収納部の前面外側を押圧されてラツプフイルムが固定する部分１６、を示す
【００２７】  図１９は、分離した蓋の押入する部分を、押入できる隙間に押入して点線で囲み、外観の良否も間うている６０、隙間を挟み内側の蓋と１体となり固定している外側の蓋５６、隙間を挟み外側の蓋と１体となつて固定している内側の蓋５５、押入する部分が押入する時と取り出す時の補助をする補助具５７、１体として固定している内側の蓋の小さい前面６１、を示す、
【００２８】  図２０は、包装用容器本体の蓋の上面に手の指を入れる補助具２８を設けたことを示している、なを、蛇の目になつている３８、包装用容器収納部の左側面内側２、支持体つき切断刃の刃先が入る刃先収納部の穴を有する補助具２１、刃先部分で障害がおこらぬように設けた突出部分１２、包装用容器本体を持ち上げる時手の親指を添える部分４８、を示している
【００２９】  図２１は、前記、手の指を入れる補助具２８に手の指を入れたことを示している、包装用容器本体を持ち上げる時手の親指を添える部分４８、手の掌を上向きにして２８の補助具に指を入れている３２、左手の親指３３、蛇の目が開いた状態４６、を示す
【００３０】  図２２は、前記、手の指を入れる補助具２８に手の指を入れて包装用容器本体を持ち上げて蓋を開いた状態を示している、なを、左手の手の掌３５、左手の親指３３、蓋の前面１０、包装用容器収納部後面上端７、前記７に接合した蓋の位置３１、ラツプフイルム１５、ラツプフイルム収納部６、右手の親指３４、右手の手の掌３６、ラツプフイルムの巻き芯２９、右手の小指３７、包装用容器収納部の左側面内側２、を示す、なを、片方の手で蓋を開き、他の片方の手でラツプフイルムの収納、収納部からの取り出しができることを示している、該、取り出した片方の手で新品のラツプフイルムと交換できる
【符号の説明】
【００３１】１  包装用容器収納部の右側面内側
２  包装用容器収納部の左側面内側
３  包装用容器収納部の前面
４  包装用容器収納部の後面
５  包装用容器収納部の底面
６  ラツプフイルム収納部
７  包装用容器収納部後面上端
８  蓋の左側面
９  蓋の右側面
１０  蓋の前面
１１  蓋の上面
１２  刃先で障害がおこらぬように設けた突出部分
１３  山形状の切断刃を複数以上連設した支持体つき切断刃
１４  支持体つき切断刃の支持体の部分
１５  ラツプフイルム
１６  収納部より引き出されたラツプフイルムが押圧されて収納部の前面外側に固定する部分
１７  ラツプフイルムの切れ端を摘まみ引き出す引き出し口になる部分
１８  引き出し口になる部分の上部、左側、右側、の両端を内側に丸めて、丸めた中にできる隙間を利用してできた凸部
１９  引き出し口の側面が平らになつている側面の下部分
２０  引き出し口になる部分の上部を内側に丸めて、丸めた中にできた隙間
２１  支持体つき切断刃の刃先が入る収納部の穴を有する補助具
２２  支持体つき切断刃の刃先が刃先収納部の穴に入る穴
２３  山形状の切断刃を複数以上連設した支持体つき切断刃の刃先
２４  引き出したラツプフイルムを挟み蓋を閉じると刃先収納部に刃先が入り、切断された箇所ができたラツプフイルム
２５  引き出したラツプフイルムを収納部の前面外側をラツプフイルムの上から押圧して、収納部前面の外側の固定できる部分１６に固定する押圧部
２６  蓋の前面内側
２７  刃先収納部の穴を個別にするための間仕切り
２８  手の指を入れて包装用容器の本体を持ち上げる補助具
２９  ラツプフイルムの巻き芯
３０  ラツプフイルムの巻き芯を左回転で引き出したラツプフイルム
３１  包装用容器収納部後面上端７に接合した蓋の位置
３２  手の掌を上向きにして２８の補助具に指を入れている
３３  左手の親指
３４  右手の親指
３５  左手の掌
３６  右手の手の掌
３７  右手の小指
３８  蛇の目になつている
３９  弾力性を有する押さえ部
４０  弾力性を有する押さえ部と連係している支持体
４１  包装用容器収納部後面下端に収納部の底面を接合した位置
４２  下側になる底面
４３  開閉させるために接触させている部分
４４  側面の上端部分を挟さみ接着し冠着した弾力性を有する押さえ部の支持体
４５  包装用容器収納部の前面の内側
４６  蛇の目が開いた状態
４７  上側になる底面
４８  包装用容器本体を持ち上げる時親指を添える部分
４９  底面の開きすぎを停止させる少しの突出部分
５０  強度を補強する厚み０．７５ｍｍ以下の極うすいシート
５１  上側の底面、下側の底面を接着固定した位置
５２  ラツプフイルムを引き出せる形態を保護する空間
５３  蓋の前面が少々張り出している部分
５４  支持体つき切断刃の押入する部分が、押入する隙間
５５  隙間を挟み外側の蓋と１体となり固定している内側の蓋
５６  隙間を挟み内側の蓋と１体となり固定している外側の蓋
５７  押入する部分が押入する時と、取り出す時の、補助をする補助具
５８  支持体つき切断刃の押入する部分
５９  内側の蓋と外側の蓋が隙間を挟み１体となつた基礎になつて接着固定している部分
６０  分離した蓋の押入する部分を、本体側の蓋の押入できる隙間に、押入して点線で囲み外観の良否も間うている
６１  １体として固定している内側の蓋の小さい前面
６２  分離した蓋の前面内側
６３  ラツプフイルム包装用容器の本体とは収納部と蓋とすべての部品を含むことである
６４  ラツプフイルム包装用容器本体から分離した蓋
【図１】
0003226448.tif 000003
【図２】
0003226448.tif 000004
【図３】
0003226448.tif 000005
【図４】
0003226448.tif 000006
【図５】
0003226448.tif 000007
【図６】
0003226448.tif 000008
【図７】
0003226448.tif 000009
【図８】
0003226448.tif 000010
【図９】
0003226448.tif 000011
【図１０】
0003226448.tif 000012
【図１１】
0003226448.tif 000013
【図１２】
0003226448.tif 000014
【図１３】
0003226448.tif 000015
【図１４】
0003226448.tif 000016
【図１５】
0003226448.tif 000017
【図１６】
0003226448.tif 000018
【図１７】
0003226448.tif 000019
【図１８】
0003226448.tif 000020
【図１９】
0003226448.tif 000021
【図２０】
0003226448.tif 000022
【図２１】
0003226448.tif 000023
【図２２】
0003226448.tif 000024